【手続補正書】
【提出日】平成19年6月18日(2007.6.18)
【手続補正１】
【補正対象書類名】明細書
【補正対象項目名】発明の名称
【補正方法】変更
【補正の内容】
【発明の名称】デジタルテレビ放送受信機能内蔵デジタル情報記録媒体再生装置
【手続補正２】
【補正対象書類名】明細書
【補正対象項目名】特許請求の範囲
【補正方法】変更
【補正の内容】
【特許請求の範囲】
【請求項１】
標準テレビ方式、及び高精細テレビ方式により放送される信号を受信するための選局受信手段を有するとともに、標準テレビ方式、及び高精細テレビ方式により情報記録媒体に記録された信号を再生する情報記録媒体再生手段を有し、それらの受信手段、及び再生手段より高精細テレビ方式の映像信号が符号化信号として出力されるときは、その出力された符号化信号を復号して高精細テレビ信号を得るようになしたデジタルテレビ放送受信機能内蔵デジタル情報記録媒体再生装置において、
前記符号化信号が供給され、その信号が標準テレビ方式の映像信号であるか高精細テレビ方式の映像信号であるかを検出するストリーム検出手段と、
そのストリーム検出手段により高精細テレビ方式の映像信号であると検出されたときは、前記符号化信号を出力するように信号を切り換える信号切り換え手段と、
その信号切り換え手段より供給された符号化信号を復号し、前記高精細テレビ信号を得る高精細信号復号手段と、
前記ストリーム検出手段が高精細テレビ方式の映像信号を検出したときは、接続されるテレビを高精細表示モードに設定させると共に、前記高精細テレビ信号をテレビに出力する高精細テレビ信号出力手段と、
より構成されることを特徴とするデジタルテレビ放送受信機能内蔵デジタル情報記録媒体再生装置。
【請求項２】
標準テレビ方式、及び高精細テレビ方式により放送される信号を受信するための選局受信手段を有するとともに、標準テレビ方式、及び高精細テレビ方式により情報記録媒体に記録された信号を再生する情報記録媒体再生手段を有し、それらの受信手段、及び再生手段より高精細テレビ方式の映像信号が符号化信号として出力されるときは、その出力された符号化信号を復号して高精細テレビ信号を得て接続される高精細テレビ受像機に供給するデジタルテレビ放送受信機能内蔵デジタル情報記録媒体再生装置において、
前記符号化信号が供給され、その信号が標準テレビ方式の映像信号であるか高精細テレビ方式の映像信号であるかを検出するストリーム検出手段と、
そのストリーム検出手段により高精細テレビ方式の映像信号であると検出されたときは、前記符号化信号を出力するように信号を切り換える信号切り換え手段と、
その信号切り換え手段より供給された符号化信号を復号し、前記高精細テレビ信号を得る高精細信号復号手段と、
前記高精細テレビ信号を外部に出力する高精細テレビ信号出力手段と、
前記ストリーム検出手段が高精細テレビ方式の映像信号を検出したときは、前記高精細テレビ受像機に対して、前記高精細テレビ受像機の外部入力端子に供給される信号を表示させるための受像機制御信号を発射する制御信号送信手段と、
より構成されることを特徴とするデジタルテレビ放送受信機能内蔵デジタル情報記録媒体再生装置。
【請求項３】
標準テレビ方式、及び高精細テレビ方式により放送される信号を受信するための選局受信手段を有するとともに、標準テレビ方式、及び高精細テレビ方式により情報記録媒体に記録された信号を再生する情報記録媒体再生手段を有し、それらの受信手段、及び再生手段より高精細テレビ方式の映像信号が符号化信号として出力されるときは、その出力された符号化信号を復号して高精細テレビ信号を得て接続される高精細テレビ方式選局受信手段を有しない高精細テレビ受像機に供給するデジタルテレビ放送受信機能内蔵デジタル情報記録媒体再生装置において、
前記符号化信号が供給され、その信号が標準テレビ方式の映像信号であるか高精細テレビ方式の映像信号であるかを検出するストリーム検出手段と、
そのストリーム検出手段により高精細テレビ方式の映像信号であると検出されたときは、前記符号化信号を出力するように信号を切り換える信号切り換え手段と、
その信号切り換え手段より供給された符号化信号を復号し、前記高精細テレビ信号を得る高精細信号復号手段と、
前記高精細テレビ信号を外部に出力する高精細テレビ信号出力手段と、
前記ストリーム検出手段が高精細テレビ方式の映像信号を検出したときは、前記高精細テレビ受像機に対して、前記高精細テレビ受像機の外部入力端子に供給される信号を表示させるための受像機制御信号を発射する制御信号送信手段と、
前記高精細テレビ受像機で表示される信号の水平同期信号成分を検出する水平同期信号検出手段と、
その水平同期信号検出手段により検出された水平同期信号と前記復号された高精細テレビ信号の水平同期信号との周波数差情報を得る周波数比較手段と、
より構成され、
前記周波数差情報が同期状態を示していないときは、前記制御信号発射手段は再度受像機制御信号を前記高精細テレビ受像機に発射することを特徴とするデジタルテレビ放送受信機能内蔵デジタル情報記録媒体再生装置。
【請求項４】
外部より操作され、受信すべき放送のチャンネル情報を得るリモコン信号受信手段を有し、標準テレビ方式、及び高精細テレビ方式により放送される信号を受信するための選局受信手段を有するとともに、標準テレビ方式、及び高精細テレビ方式により情報記録媒体に記録された信号を再生する情報記録媒体再生手段を有し、それらの受信手段、及び再生手段より高精細テレビ方式の映像信号が符号化信号として出力されるときは、その出力された符号化信号を復号して高精細テレビ信号を得て接続される高精細テレビ方式選局受信手段を有しない高精細テレビ受像機に供給するデジタルテレビ放送受信機能内蔵デジタル情報記録媒体再生装置において、
前記リモコン信号受信手段が得る放送のチャンネル情報がデジタル放送チャンネルであることを識別するチャンネル識別手段と、
そのチャンネル識別手段により識別されたデジタル放送チャンネルの信号を受信して前記符号化信号を得るデジタルチューナ手段と、
その供給された符号化信号が標準テレビ方式の映像信号であるか高精細テレビ方式の映像信号であるかを検出するストリーム検出手段と、
そのストリーム検出手段により高精細テレビ方式の映像信号であると検出されたときは、前記符号化信号を出力するように信号を切り換える信号切り換え手段と、
その信号切り換え手段より供給された符号化信号を復号し、前記高精細テレビ信号を得る高精細信号復号手段と、
前記高精細テレビ信号を外部に出力する高精細テレビ信号出力手段と、
前記ストリーム検出手段が高精細テレビ方式の映像信号を検出したときは、前記高精細テレビ受像機に対して、前記高精細テレビ受像機の外部入力端子に供給される信号を表示させるための受像機制御信号を発射する制御信号送信手段と、
より構成されることを特徴とするデジタルテレビ放送受信機能内蔵デジタル情報記録媒体再生装置。
【手続補正３】
【補正対象書類名】明細書
【補正対象項目名】０００１
【補正方法】変更
【補正の内容】
【０００１】
【発明の属する技術分野】
本発明は、ＨＤＴＶ信号の再生に関し、特にＭＰＥＧ−２方式ハイレベルにより符号化され、伝送されるＨＤＴＶ信号の受信、及びＨＤＴＶ信号の記録されるＤＶＤディスクの再生を共通のＭＰＥＧ−２デコーダを用いて行い、得られたＨＤＴＶ信号を共通のＨＤＴＶ受像機に供給するデジタルテレビ放送受信機能内蔵デジタル情報記録媒体再生装置に関するものである。
【手続補正４】
【補正対象書類名】明細書
【補正対象項目名】００２５
【補正方法】変更
【補正の内容】
【００２５】
そこで、本発明は、ＤＶＤ再生機にデジタル放送受信用チューナ回路を搭載し、共通のＭＰＥＧ−２デコーダにより復号されたＨＤＴＶ信号をＨＤＴＶ表示部に供給し、ＨＤＴＶ放送受信用及びＨＤ−ＤＶＤ再生用の復号器を安価に提供すると共に、復号された信号を切り換え機能のないＨＤＴＶ信号表示機に供給し、ＨＤＴＶ信号表示機に供給する信号の接続を差し換えるなど、煩雑な切り換え操作を行うことなく、従来から使用していたＭＵＳＥ受信機の表示部を有効に使用したＨＤＴＶ信号再生機を安価に提供することを目的とし、しかも表示ソフトの切り換えも少ない操作ボタンの操作により行えるデジタルテレビ放送受信機能内蔵デジタル情報記録媒体再生装置を構成しようとするものである。
【手続補正５】
【補正対象書類名】明細書
【補正対象項目名】００２７
【補正方法】変更
【補正の内容】
【００２７】
１）  標準テレビ方式、及び高精細テレビ方式により放送される信号を受信するための選局受信手段を有するとともに、標準テレビ方式、及び高精細テレビ方式により情報記録媒体に記録された信号を再生する情報記録媒体再生手段を有し、それらの受信手段、及び再生手段より高精細テレビ方式の映像信号が符号化信号として出力されるときは、その出力された符号化信号を復号して高精細テレビ信号を得るようになしたデジタルテレビ放送受信機能内蔵デジタル情報記録媒体再生装置において、
前記符号化信号が供給され、その信号が標準テレビ方式の映像信号であるか高精細テレビ方式の映像信号であるかを検出するストリーム検出手段（４１）と、
そのストリーム検出手段により高精細テレビ方式の映像信号であると検出されたときは、前記符号化信号を出力するように信号を切り換える信号切り換え手段（５５）と、
その信号切り換え手段より供給された符号化信号を復号し、前記高精細テレビ信号を得る高精細信号復号手段（６１）と、
前記ストリーム検出手段が高精細テレビ方式の映像信号を検出したときは、接続されるテレビを高精細表示モードに設定させると共に、前記高精細テレビ信号をテレビに出力する高精細テレビ信号出力手段（４１、６１）と、
より構成されることを特徴とするデジタルテレビ放送受信機能内蔵デジタル情報記録媒体再生装置。
【手続補正６】
【補正対象書類名】明細書
【補正対象項目名】００２８
【補正方法】変更
【補正の内容】
【００２８】
２）  標準テレビ方式、及び高精細テレビ方式により放送される信号を受信するための選局受信手段を有するとともに、標準テレビ方式、及び高精細テレビ方式により情報記録媒体に記録された信号を再生する情報記録媒体再生手段を有し、それらの受信手段、及び再生手段より高精細テレビ方式の映像信号が符号化信号として出力されるときは、その出力された符号化信号を復号して高精細テレビ信号を得て接続される高精細テレビ受像機に供給するデジタルテレビ放送受信機能内蔵デジタル情報記録媒体再生装置において、
前記符号化信号が供給され、その信号が標準テレビ方式の映像信号であるか高精細テレビ方式の映像信号であるかを検出するストリーム検出手段（４１）と、
そのストリーム検出手段により高精細テレビ方式の映像信号であると検出されたときは、前記符号化信号を出力するように信号を切り換える信号切り換え手段（５５）と、
その信号切り換え手段より供給された符号化信号を復号し、前記高精細テレビ信号を得る高精細信号復号手段（６１）と、
前記高精細テレビ信号を外部に出力する高精細テレビ信号出力手段（６１）と、
前記ストリーム検出手段が高精細テレビ方式の映像信号を検出したときは、前記高精細テレビ受像機に対して、前記高精細テレビ受像機の外部入力端子に供給される信号を表示させるための受像機制御信号を発射する制御信号送信手段（４２、７１）と、
より構成されることを特徴とするデジタルテレビ放送受信機能内蔵デジタル情報記録媒体再生装置。
【手続補正７】
【補正対象書類名】明細書
【補正対象項目名】００２９
【補正方法】変更
【補正の内容】
【００２９】
３）  標準テレビ方式、及び高精細テレビ方式により放送される信号を受信するための選局受信手段を有するとともに、標準テレビ方式、及び高精細テレビ方式により情報記録媒体に記録された信号を再生する情報記録媒体再生手段を有し、それらの受信手段、及び再生手段より高精細テレビ方式の映像信号が符号化信号として出力されるときは、その出力された符号化信号を復号して高精細テレビ信号を得て接続される高精細テレビ方式選局受信手段を有しない高精細テレビ受像機に供給するデジタルテレビ放送受信機能内蔵デジタル情報記録媒体再生装置において、
前記符号化信号が供給され、その信号が標準テレビ方式の映像信号であるか高精細テレビ方式の映像信号であるかを検出するストリーム検出手段（４１）と、
そのストリーム検出手段により高精細テレビ方式の映像信号であると検出されたときは、前記符号化信号を出力するように信号を切り換える信号切り換え手段（５５）と、
その信号切り換え手段より供給された符号化信号を復号し、前記高精細テレビ信号を得る高精細信号復号手段（６１）と、
前記高精細テレビ信号を外部に出力する高精細テレビ信号出力手段（６１）と、
前記ストリーム検出手段が高精細テレビ方式の映像信号を検出したときは、前記高精細テレビ受像機に対して、前記高精細テレビ受像機の外部入力端子に供給される信号を表示させるための受像機制御信号を発射する制御信号送信手段（４２、７１）と、
前記高精細テレビ受像機で表示される信号の水平同期信号成分を検出する水平同期信号検出手段（４３）と、
その水平同期信号検出手段により検出された水平同期信号と前記復号された高精細テレビ信号の水平同期信号との周波数差情報を得る周波数比較手段（４４）と、
より構成され、
前記周波数差情報が同期状態を示していないときは、前記制御信号発射手段は再度受像機制御信号を前記高精細テレビ受像機に発射することを特徴とするデジタルテレビ放送受信機能内蔵デジタル情報記録媒体再生装置。
【手続補正８】
【補正対象書類名】明細書
【補正対象項目名】００３０
【補正方法】変更
【補正の内容】
【００３０】
４）  外部より操作され、受信すべき放送のチャンネル情報を得るリモコン信号受信手段を有し、標準テレビ方式、及び高精細テレビ方式により放送される信号を受信するための選局受信手段を有するとともに、標準テレビ方式、及び高精細テレビ方式により情報記録媒体に記録された信号を再生する情報記録媒体再生手段を有し、それらの受信手段、及び再生手段より高精細テレビ方式の映像信号が符号化信号として出力されるときは、その出力された符号化信号を復号して高精細テレビ信号を得て接続される高精細テレビ方式選局受信手段を有しない高精細テレビ受像機に供給するデジタルテレビ放送受信機能内蔵デジタル情報記録媒体再生装置において、
前記リモコン信号受信手段が得る放送のチャンネル情報がデジタル放送チャンネルであることを識別するチャンネル識別手段（７２、３１）と、
そのチャンネル識別手段により識別されたデジタル放送チャンネルの信号を受信して前記符号化信号を得るデジタルチューナ手段（３１）と、
その供給された符号化信号が標準テレビ方式の映像信号であるか高精細テレビ方式の映像信号であるかを検出するストリーム検出手段（４１）と、
そのストリーム検出手段により高精細テレビ方式の映像信号であると検出されたときは、前記符号化信号を出力するように信号を切り換える信号切り換え手段（５５）と、
その信号切り換え手段より供給された符号化信号を復号し、前記高精細テレビ信号を得る高精細信号復号手段（６１）と、
前記高精細テレビ信号を外部に出力する高精細テレビ信号出力手段（６１）と、
前記ストリーム検出手段が高精細テレビ方式の映像信号を検出したときは、前記高精細テレビ受像機に対して、前記高精細テレビ受像機の外部入力端子に供給される信号を表示させるための受像機制御信号を発射する制御信号送信手段（４２、７１）と、
より構成されることを特徴とするデジタルテレビ放送受信機能内蔵デジタル情報記録媒体再生装置。
【手続補正９】
【補正対象書類名】明細書
【補正対象項目名】００３１
【補正方法】変更
【補正の内容】
【００３１】
【発明の実施の形態】
以下、本発明のデジタルテレビ放送受信機能内蔵デジタル情報記録媒体再生装置の実施の形態につき、好ましい実施例により説明する。
図１に、その実施例に関るチューナ内蔵ＤＶＤプレーヤ装置の構成を示し、説明する。
【手続補正１０】
【補正対象書類名】明細書
【補正対象項目名】００６５
【補正方法】変更
【補正の内容】
【００６５】
【発明の効果】
請求項１記載の発明によれば、このデジタルテレビ放送受信機能内蔵デジタル情報記録媒体再生装置はデジタル信号形式で記録されるＨＤＴＶ信号を記録した、例えばＨＤ−ＤＶＤを再生できる外、デジタル衛星放送、デジタル地上放送に対しても、その放送を受信するためのデジタルチューナを内蔵し、そのデジタルチューナにより復調されたＭＰＥＧ−２規格により符号化されているデジタルビデオ信号をＤＶＤ用等の情報記録媒体と共通のＭＰＥＧ−２デコーダにより復号するとともに、その復号されたビデオ信号をデジタル放送の受信機能を有さないハイビジョン受像機のビデオ信号入力端子に供給してＨＤＴＶ映像を表示でき、さらにそのハイビジョン受像機に外部ＨＤＴＶ信号入力端子が１個しかない場合でも信号切り換え器を設けたり、ＨＤ放送とＨＤ−ＤＶＤで機器の接続を変えるなどの煩雑な操作を必要とせず、それらを共通のＭＰＥＧ−２デコーダを用いて、経済的にＨＤＴＶ放送受信や、ＨＤＴＶ記録メディアの再生を行なうことが出来るデジタルテレビ放送受信機能内蔵デジタル情報記録媒体再生装置を構成できる効果がある。
【手続補正１１】
【補正対象書類名】明細書
【補正対象項目名】００６６
【補正方法】変更
【補正の内容】
【００６６】
また、請求項２記載の発明によれば、このデジタルテレビ放送受信機能内蔵デジタル情報記録媒体再生装置はデジタル信号形式で記録されるＨＤＴＶ信号を記録した、例えばＨＤ−ＤＶＤを再生できる外、デジタル衛星放送、デジタル地上放送に対しても、その放送を受信するためのデジタルチューナを内蔵し、そのデジタルチューナにより復調されたＭＰＥＧ−２規格により符号化されているデジタルビデオ信号をＤＶＤ用等の情報記録媒体と共通のＭＰＥＧ−２デコーダにより復号するとともに、その復号されたビデオ信号をデジタル放送の受信機能を有さないハイビジョン受像機のビデオ信号入力端子に供給してＨＤＴＶ映像を表示するに際し、映像を表示するハイビジョン受像機はリモコン制御信号によりその外部ＨＤＴＶ信号入力端子に供給されるＨＤＴＶ信号を表示させるように表示モードの切り換えを行うため、従来のＮＴＳＣ放送、ハイビジョン放送を受像すると同様な簡易な操作により、これらの映像信号を簡易、且つ経済的に再生出来るデジタルテレビ放送受信機能内蔵デジタル情報記録媒体再生装置を構成できる効果がある。
【手続補正１２】
【補正対象書類名】明細書
【補正対象項目名】００６７
【補正方法】変更
【補正の内容】
【００６７】
そして、請求項３記載の発明によれば、このデジタルテレビ放送受信機能内蔵デジタル情報記録媒体再生装置はデジタル信号形式で記録されるＨＤＴＶ信号を記録した、例えばＨＤ−ＤＶＤを再生できる外、デジタル衛星放送、デジタル地上放送に対しても、その放送を受信するためのデジタルチューナを内蔵し、そのデジタルチューナにより復調されたＭＰＥＧ−２規格により符号化されているデジタルビデオ信号をＤＶＤ用等の情報記録媒体と共通のＭＰＥＧ−２デコーダにより復号するとともに、その復号されたビデオ信号をデジタル放送の受信機能を有さないハイビジョン受像機のビデオ信号入力端子に供給してＨＤＴＶ映像を表示するために、映像を表示するハイビジョン受像機はリモコン制御信号によりその外部ＨＤＴＶ信号入力端子に供給されるＨＤＴＶ信号を表示するように表示モードの切り換えを行うが、その切り換えが正常に行われなかったときに供給するＨＤＴＶ信号と表示される映像信号の同期状態を表示される信号の水平同期信号により調べ、正常な同期関係にないときは前記切り換え操作を繰り返して行うことにより、従来のＮＴＳＣ放送、ハイビジョン放送を受像すると同様な簡易な操作により、デジタル放送、ＨＤ−ＤＶＤ等の情報記録媒体の再生を簡易、且つ経済的に行えるデジタルテレビ放送受信機能内蔵デジタル情報記録媒体再生装置を構成できる効果がある。
【手続補正１３】
【補正対象書類名】明細書
【補正対象項目名】００６８
【補正方法】変更
【補正の内容】
【００６８】
さらに、請求項４記載の発明によれば、このデジタルテレビ放送受信機能内蔵デジタル情報記録媒体再生装置はデジタル信号形式で記録されるＨＤＴＶ信号を記録した、例えばＨＤ−ＤＶＤを再生できる外、デジタル衛星放送、デジタル地上放送に対しても、その放送を受信するためのデジタルチューナを内蔵し、そのデジタルチューナにより復調されたＭＰＥＧ−２規格により符号化されているデジタルビデオ信号をＤＶＤ用等の情報記録媒体と共通のＭＰＥＧ−２デコーダにより復号するとともに、その復号されたビデオ信号をデジタル放送の受信機能を有さないハイビジョン受像機のビデオ信号入力端子に供給してＨＤＴＶ映像を表示するに際し、受信する放送チャンネルの選択は従来のＮＴＳＣ放送、ハイビジョン放送に対してはハイビジョン受像機により、そして新たに放送の開始されるデジタル放送に対してはこの装置のリモコン受信機がそのチャンネル選択命令を受信し、デジタル放送信号の復調、復号を行い、復号されたビデオ信号はハイビジョン受像機の外部ＨＤＴＶ信号入力端子に供給されてＨＤＴＶ信号を表示させるように表示モードの切り換えを行うため、放送受聴者はアナログ放送、デジタル放送の違いを意識することなく簡易な操作により、これらの映像信号を経済的に再生出来るデジタルテレビ放送受信機能内蔵デジタル情報記録媒体再生装置を構成できる効果がある。